【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
単一または複数枚の透過型あるいは反射型の光変調作用を有する表示素子に対して光源からの光を照射することによって映像を表示する映像表示装置であって、
入力映像信号の平均輝度レベルを検出するＡＰＬ検出手段と、
前記ＡＰＬ検出手段によって検出された平均輝度レベルに基づいて、前記表示素子に照射される光量を制御するための光量制御データを作成する光量制御データ作成手段と、
前記光量制御データに基づいて前記表示素子に照射される光量を制御する光量制御手段とを備え、
前記光量制御データ作成手段は、前記ＡＰＬ検出手段によって検出された平均輝度レベルが第１の所定値以下の範囲にある場合には、前記表示素子に照射される光量が所定の最小レベルまたはその近傍レベルとなるように制御され、
前記ＡＰＬ検出手段によって検出された平均輝度レベルが前記第１の所定値を超える範囲にある場合には、前記表示素子に照射される光量が平均輝度レベルの増加に伴って連続的に増大するように制御されるような光量制御データを作成することを特徴とする、映像表示装置。
【請求項２】
前記光量制御データ作成手段は、前記ＡＰＬ検出手段によって検出された平均輝度レベルに基づいて、前記光源を制御するための光源制御データを作成する光源制御データ作成手段を含み、
前記光量制御手段は、前記光源制御データに基づいて前記光源を駆動する光源駆動手段を含み、
前記光源制御データ作成手段は、前記ＡＰＬ検出手段によって検出された平均輝度レベルが前記第１の所定値以下の範囲にある場合には、前記光源を安定駆動可能な最小レベルまたはその近傍レベルとなるように駆動させ、
前記ＡＰＬ検出手段によって検出された平均輝度レベルが前記第１の所定値を超える範囲にある場合には、前記光源を前記表示素子に照射される光量が平均輝度レベルの増加に伴って連続的に増大するように駆動させるような光源制御データを作成することを特徴とする、請求項１に記載の映像表示装置。
【請求項３】
前記光源と前記表示素子の間に、当該表示素子に照射される光量を調節する絞りをさらに備え、
前記光量制御データ作成手段は、前記ＡＰＬ検出手段によって検出された平均輝度レベルに基づいて、前記絞りを制御するための絞り制御データを作成する絞り制御データ作成手段を含み、
前記光量制御手段は、前記絞り制御データに基づいて前記絞りを駆動する絞り駆動手段を含み、
前記絞り制御データ作成手段は、前記ＡＰＬ検出手段によって検出された平均輝度レベルが前記第１の所定値以下の範囲にある場合には、前記表示素子に照射される光量が前記所定の最小レベルまたはその近傍レベルとなるように前記絞りを駆動させ、
前記ＡＰＬ検出手段によって検出された平均輝度レベルが前記第１の所定値を超える範囲にある場合には、前記表示素子に照射される光量が平均輝度レベルの増加に伴って連続的に増大するように前記絞りを駆動させるような絞り制御データを作成することを特徴とする、請求項１に記載の映像表示装置。
【請求項４】
前記光源と前記表示素子の間に、当該表示素子に照射される光量を調節する調光素子をさらに備え、
前記光量制御データ作成手段は、前記ＡＰＬ検出手段によって検出された平均輝度レベルに基づいて、前記調光素子を制御するための調光素子制御データを作成する調光素子制御データ作成手段を含み、
前記光量制御手段は、前記調光素子制御データに基づいて前記調光素子を駆動する調光素子駆動手段を含み、
前記調光素子制御データ作成手段は、前記ＡＰＬ検出手段によって検出された平均輝度レベルが前記第１の所定値以下の範囲にある場合には、前記表示素子に照射される光量が前記所定の最小レベルまたはその近傍レベルとなるように前記調光素子を駆動させ、
前記ＡＰＬ検出手段によって検出された平均輝度レベルが前記第１の所定値を超える範囲にある場合には、前記表示素子に照射される光量が輝度レベルの増加に伴って連続的に増大するように前記調光素子を駆動させるような調光素子制御データを作成することを特徴とする、請求項１に記載の映像表示装置。
【請求項５】
前記光量制御データ作成手段は、前記ＡＰＬ検出手段によって検出された平均輝度レベルが前記第１の所定値よりも小さい場合に、前記表示素子に照射される光量を前記所定の最小レベルで固定するような前記光量制御データを作成することを特徴とする、請求項１に記載の映像表示装置。
【請求項６】
前記光量制御データ作成手段は、前記ＡＰＬ検出手段によって検出された平均輝度レベルが第２の所定値よりも大きい場合に、前記表示素子に照射される光量を所定の最大レベルで固定するような前記光量制御データを作成することを特徴とする、請求項１に記載の映像表示装置。
【請求項７】
前記光量制御データ作成手段によって作成された前記光量制御データに対してフィルタリングを行うことにより、当該光量制御データの変化に対し遅延作用を与える手段をさらに備える、請求項１に記載の映像表示装置。
【請求項８】
前記光量制御データ作成手段は、複数の単位フィールド時間における前記平均輝度レベルの平均に基づいて、前記光量制御データを作成することを特徴とする、請求項１に記載の映像表示装置。
【請求項９】
前記ＡＰＬ検出手段によって検出された平均輝度レベルの出力に対してフィルタリングを行うことにより、当該平均輝度レベルの変化に対し遅延作用を与える手段を更に備える、請求項１に記載の映像表示装置。
【請求項１０】
前記光量制御データ作成手段は、前記ＡＰＬ検出手段によって検出された平均輝度レベルの単位時間当たりの変化が所定のしきい値よりも小さい場合に、前記表示素子に照射される光量を当該変化に追従させることなく直前のレベルに維持させるような光量制御データを作成することを特徴とする、請求項１に記載の映像表示装置。
【請求項１１】
単一または複数枚の透過型あるいは反射型の光変調作用を有する表示素子に対して光源からの光を照射することによって映像を表示する映像表示装置であって、
入力映像信号の輝度レベルを複数の輝度レベル区分に分割し、当該輝度レベル区分毎のヒストグラム分布を検出するヒストグラム作成手段と、
前記ヒストグラム作成手段において検出された前記分割区分毎のヒストグラム分布に基づいて、前記表示素子に照射される光量を制御するための光量制御データを作成する光量制御データ作成手段と、
前記光量制御データに基づいて前記表示素子に照射される光量を制御する光量制御手段とを備え、
前記光量制御データ作成手段は、前記ヒストグラム作成手段において検出された前記分割区分毎のヒストグラム分布が所定の分布状態にあるときに、前記表示素子に照射される光量を前記所定の分布状態に応じた所定のレベルで固定し、
前記分割区分毎のヒストグラム分布が前記所定の分布状態を外れたときに、前記表示素子に照射される光量が輝度レベルの増加に伴って連続的に増大するような光量制御データを作成することを特徴とする、映像表示装置。
【請求項１２】
前記光量制御データ作成手段は、前記ヒストグラム作成手段において検出された前記複数の輝度レベル区分の内の少なくとも１つの輝度レベルのヒストグラム分布が所定のしきい値よりも大きいまたは小さいときに、前記表示素子に照射される光量を前記所定のレベルで固定するような光量制御データを作成することを特徴とする、請求項１１に記載の映像表示装置。
【請求項１３】
前記光量制御データ作成手段は、前記ヒストグラム作成手段において検出されたヒストグラム分布に基づいて前記入力映像信号に係る映像シーンが暗いシーンであると判断される場合に、前記表示素子に照射される光量を前記所定の最小レベルで固定するような光量制御データを作成することを特徴とする、請求項１１に記載の映像表示装置。
【請求項１４】
単一または複数枚の透過型あるいは反射型の光変調作用を有する表示素子に対して光源からの光を照射することによって映像を表示する映像表示方法であって、
入力映像信号の平均輝度レベルを検出するＡＰＬ検出ステップと、
前記ＡＰＬ検出ステップによって検出された平均輝度レベルに基づいて、前記表示素子に照射される光量を制御するための光量制御データを作成する光量制御データ作成ステップと、
前記光量制御データに基づいて前記表示素子に照射される光量を制御する光量制御ステップとを備え、
前記光量制御データ作成ステップは、前記ＡＰＬ検出ステップによって検出された平均輝度レベルが第１の所定値以下の範囲にある場合には、前記表示素子に照射される光量が所定の最小レベルまたはその近傍レベルとなるように制御され、
前記ＡＰＬ検出ステップによって検出された平均輝度レベルが前記第１の所定値を超える範囲にある場合には、前記表示素子に照射される光量が平均輝度レベルの増加に伴って連続的に増大するように制御されるような光量制御データを作成することを特徴とする、映像表示方法。
【請求項１５】
前記光量制御データ作成ステップは、前記ＡＰＬ検出ステップによって検出された平均輝度レベルに基づいて、前記光源を制御するための光源制御データを作成する光源制御データ作成ステップを含み、
前記光量制御ステップは、前記光源制御データに基づいて前記光源を駆動する光源駆動ステップを含み、
前記光源制御データ作成ステップは、前記ＡＰＬ検出ステップによって検出された平均輝度レベルが前記第１の所定値以下の範囲にある場合には、前記光源を安定駆動可能な最小レベルまたはその近傍レベルとなるように駆動させ、
前記ＡＰＬ検出ステップによって検出された平均輝度レベルが前記第１の所定値を超える範囲にある場合には、前記光源を前記表示素子に照射される光量が平均輝度レベルの増加に伴って連続的に増大するように駆動させるような光源制御データを作成することを特徴とする、請求項１４に記載の映像表示方法。
【請求項１６】
前記光量制御データ作成ステップは、前記ＡＰＬ検出ステップによって検出された平均輝度レベルに基づいて、前記光源と前記表示素子の間に存在し、前記表示素子に照射される光量を調節する絞りを制御するための絞り制御データを作成する絞り制御データ作成ステップを含み、
前記光量制御ステップは、前記絞り制御データに基づいて前記絞りを駆動する絞り駆動ステップを含み、
前記絞り制御データ作成ステップは、前記ＡＰＬ検出ステップによって検出された平均輝度レベルが前記第１の所定値以下の範囲にある場合には、前記表示素子に照射される光量が前記所定の最小レベルまたはその近傍レベルとなるように前記絞りを駆動させ、
前記ＡＰＬ検出ステップによって検出された平均輝度レベルが前記第１の所定値を超える範囲にある場合には、前記表示素子に照射される光量が平均輝度レベルの増加に伴って連続的に増大するように前記絞りを駆動させるような絞り制御データを作成することを特徴とする、請求項１４に記載の映像表示方法。
【請求項１７】
前記光量制御データ作成ステップは、前記ＡＰＬ検出ステップによって検出された平均輝度レベルに基づいて、前記光源と前記表示素子の間に存在し、前記表示素子に照射される光量を調節する調光素子を制御するための調光素子制御データを作成する調光素子制御データ作成ステップを含み、
前記光量制御ステップは、前記調光素子制御データに基づいて前記調光素子を駆動する調光素子駆動ステップを含み、
前記調光素子制御データ作成ステップは、前記ＡＰＬ検出ステップによって検出された平均輝度レベルが前記第１の所定値以下の範囲にある場合には、前記表示素子に照射される光量が前記所定の最小レベルまたはその近傍レベルとなるように前記調光素子を駆動させ、
前記ＡＰＬ検出ステップによって検出された平均輝度レベルが前記第１の所定値を超える範囲にある場合には、前記表示素子に照射される光量が平均輝度レベルの増加に伴って連続的に増大するように前記調光素子を駆動させるような調光素子制御データを作成することを特徴とする、請求項１４に映像表示方法。
【請求項１８】
前記光量制御データ作成ステップは、前記ＡＰＬ検出ステップによって検出された平均輝度レベルが前記第１の所定値よりも小さい場合に、前記表示素子に照射される光量を前記所定の最小レベルで固定するような前記光量制御データを作成することを特徴とする、請求項１４に記載の映像表示方法。
【請求項１９】
前記光量制御データ作成ステップは、前記ＡＰＬ検出ステップによって検出された平均輝度レベルが第２の所定値よりも大きい場合に、前記表示素子に照射される光量を所定の最大レベルで固定するような前記光量制御データを作成することを特徴とする、請求項１４に記載の映像表示方法。
【請求項２０】
前記光量制御データ作成ステップによって作成された前記光量制御データに対してフィルタリングを行うことにより、当該光量制御データの変化に対し遅延作用を与えるステップをさらに備える、請求項１４に記載の映像表示方法。
【請求項２１】
前記光量制御データ作成ステップは、複数の単位フィールド時間における前記平均輝度レベルの平均に基づいて、前記光量制御データを作成することを特徴とする、請求項１４に記載の映像表示方法。
【請求項２２】
前記ＡＰＬ検出ステップによって検出された平均輝度レベルの出力に対してフィルタリングを行うことにより、当該平均輝度レベルの変化に対し遅延作用を与えるステップを更に備える、請求項１４に記載の映像表示方法。
【請求項２３】
前記光量制御データ作成ステップは、前記ＡＰＬ検出ステップによって検出された平均輝度レベルの単位時間当たりの変化が所定のしきい値よりも小さい場合に、前記表示素子に照射される光量を当該変化に追従させることなく直前のレベルに維持させるような光量制御データを作成することを特徴とする、請求項１４に記載の映像表示方法。
【請求項２４】
単一または複数枚の透過型あるいは反射型の光変調作用を有する表示素子に対して光源からの光を照射することによって映像を表示する映像表示方法であって、
前記入力映像信号の平均輝度レベルを複数の平均輝度レベル区分に分割し、当該平均輝度レベル区分毎のヒストグラム分布を検出するヒストグラム作成ステップと、
前記ヒストグラム作成ステップによって検出された前記分割区分毎のヒストグラム分布に基づいて、前記表示素子に照射される光量を制御するための光量制御データを作成する光量制御データ作成ステップと、
前記光量制御データに基づいて前記表示素子に照射される光量を制御する光量制御ステップとを備え、
前記光量制御データ作成ステップは、前記ヒストグラム作成ステップにおいて検出された前記分割区分毎のヒストグラム分布が所定の分布状態にあるときに、前記表示素子に照射される光量を前記所定の分布状態に応じた所定のレベルで固定し、
前記分割区分毎のヒストグラム分布が所定の分布状態を外れたときに、前記表示素子に照射される光量が輝度レベルの増加に伴って連続的に増大するような光量制御データを作成することを特徴とする、映像表示方法。
【請求項２５】
前記光量制御データ作成ステップは、前記ヒストグラム作成ステップにおいて検出された前記複数の輝度レベル区分の内の少なくとも１つの輝度レベルのヒストグラム分布が所定のしきい値よりも大きいまたは小さいときに、前記表示素子に照射される光量を前記所定のレベルで固定するような光量制御データを作成することを特徴とする、請求項２４に記載の映像表示方法。
【請求項２６】
前記光量制御データ作成ステップは、前記ヒストグラム作成ステップにおいて検出されたヒストグラム分布に基づいて前記入力映像信号に係る映像シーンが暗いシーンであると判断される場合に、前記表示素子に照射される光量を前記所定の最小レベルで固定するような光量制御データを作成することを特徴とする、請求項２４に記載の映像表示方法。
【手続補正２】
【補正対象書類名】明細書
【補正対象項目名】００１２
【補正方法】変更
【補正の内容】
【００１２】
【課題を解決するための手段および発明の効果】
第１の発明は、単一または複数枚の透過型あるいは反射型の光変調作用を有する表示素子に対して光源からの光を照射することによって映像を表示する映像表示装置であって、
入力映像信号の平均輝度レベルを検出するＡＰＬ検出手段と、
ＡＰＬ検出手段によって検出された平均輝度レベルに基づいて、表示素子に照射される光量を制御するための光量制御データを作成する光量制御データ作成手段と、
光量制御データに基づいて表示素子に照射される光量を制御する光量制御手段とを備え、
光量制御データ作成手段は、ＡＰＬ検出手段によって検出された平均輝度レベルが第１の所定値以下の範囲にある場合には、表示素子に照射される光量が所定の最小レベルまたはその近傍レベルとなるように制御され、
ＡＰＬ検出手段によって検出された平均輝度レベルが第１の所定値を超える範囲にある場合には、表示素子に照射される光量が平均輝度レベルの増加に伴って連続的に増大するように制御されるような光量制御データを作成することを特徴とする。


【手続補正３】
【補正対象書類名】明細書
【補正対象項目名】００１４
【補正方法】変更
【補正の内容】
【００１４】
第２の発明は、第１の発明において、光量制御データ作成手段は、ＡＰＬ検出手段によって検出された平均輝度レベルに基づいて、光源を制御するための光源制御データを作成する光源制御データ作成手段を含み、
光量制御手段は、光源制御データに基づいて光源を駆動する光源駆動手段を含み、
光源制御データ作成手段は、ＡＰＬ検出手段によって検出された平均輝度レベルが第１の所定値以下の範囲にある場合には、光源を安定駆動可能な最小レベルまたはその近傍レベルとなるように駆動させ、
ＡＰＬ検出手段によって検出された平均輝度レベルが第１の所定値を超える範囲にある場合には、光源を表示素子に照射される光量が平均輝度レベルの増加に伴って連続的に増大するように駆動させるような光源制御データを作成することを特徴とする。


【手続補正４】
【補正対象書類名】明細書
【補正対象項目名】００１６
【補正方法】変更
【補正の内容】
【００１６】
第３の発明は、第１の発明において、光源と表示素子の間に、この表示素子に照射される光量を調節する絞りをさらに備え、
光量制御データ作成手段は、ＡＰＬ検出手段によって検出された平均輝度レベルに基づいて、絞りを制御するための絞り制御データを作成する絞り制御データ作成手段を含み、
光量制御手段は、絞り制御データに基づいて絞りを駆動する絞り駆動手段を含み、
絞り制御データ作成手段は、ＡＰＬ検出手段によって検出された平均輝度レベルが第１の所定値以下の範囲にある場合には、表示素子に照射される光量が所定の最小レベルまたはその近傍レベルとなるように絞りを駆動させ、
ＡＰＬ検出手段によって検出された平均輝度レベルが第１の所定値を超える範囲にある場合には、表示素子に照射される光量が平均輝度レベルの増加に伴って連続的に増大するように絞りを駆動させるような絞り制御データを作成することを特徴とする。


【手続補正５】
【補正対象書類名】明細書
【補正対象項目名】００１８
【補正方法】変更
【補正の内容】
【００１８】
第４の発明は、第１の発明において、光源と表示素子の間に、この表示素子に照射される光量を調節する調光素子をさらに備え、
光量制御データ作成手段は、ＡＰＬ検出手段によって検出された平均輝度レベルに基づいて、調光素子を制御するための調光素子制御データを作成する調光素子制御データ作成手段を含み、
光量制御手段は、調光素子制御データに基づいて調光素子を駆動する調光素子駆動手段を含み、
調光素子制御データ作成手段は、ＡＰＬ検出手段によって検出された平均輝度レベルが第１の所定値以下の範囲にある場合には、表示素子に照射される光量が所定の最小レベルまたはその近傍レベルとなるように調光素子を駆動させ、
ＡＰＬ検出手段によって検出された平均輝度レベルが第１の所定値を超える範囲にある場合には、表示素子に照射される光量が輝度レベルの増加に伴って連続的に増大するように調光素子を駆動させるような調光素子制御データを作成することを特徴とする。


【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
第５の発明は、第１の発明において、光量制御データ作成手段は、ＡＰＬ検出手段によって検出された平均輝度レベルが第１の所定値よりも小さい場合に、表示素子に照射される光量を所定の最小レベルで固定するような光量制御データを作成することを特徴とする。


【手続補正９】
【補正対象書類名】明細書
【補正対象項目名】００２３
【補正方法】変更
【補正の内容】
【００２３】
上記第５の発明によれば、暗いシーン、つまり入力映像信号のＡＰＬが所定のしきい値より小さい場合に、表示素子に照射される光量を所定の最小レベルで駆動するため、暗いシーンにおける黒浮きの問題をより一層改善することができ、その結果、コントラスト感をより一層高めることができる。また、暗いシーンにおいて光量制御手段の制御対象（例えば光源、絞り、調光素子）の駆動条件の変動が生じないため、制御対象の信頼性の低下の問題を改善することができる。


【手続補正１０】
【補正対象書類名】明細書
【補正対象項目名】００２４
【補正方法】変更
【補正の内容】
【００２４】
第６の発明は、第１の発明において、光量制御データ作成手段は、ＡＰＬ検出手段によって検出された平均輝度レベルが第２の所定値よりも大きい場合に、表示素子に照射される光量を所定の最大レベルで固定するような光量制御データを作成することを特徴とする。


【手続補正１１】
【補正対象書類名】明細書
【補正対象項目名】００２５
【補正方法】変更
【補正の内容】
【００２５】
上記第６の発明によれば、明るいシーン、つまり入力映像信号のＡＰＬが所定のしきい値より大きい場合に、表示素子に照射される光量を所定の最大レベルで駆動するため、明るいシーンにおける明るさ感の不足の問題をより一層改善することができ、その結果、コントラスト感をより一層高めることができる。また、明るいシーンにおいて光量制御手段の制御対象（例えば光源、絞り、調光素子）の駆動条件の変動が生じないため、制御対象の信頼性の低下の問題を改善することができる。


【手続補正１２】
【補正対象書類名】明細書
【補正対象項目名】００２６
【補正方法】変更
【補正の内容】
【００２６】
第７の発明は、第１の発明において、光量制御データ作成手段によって作成された光量制御データに対してフィルタリングを行うことにより、この光量制御データの変化に対し遅延作用を与える手段をさらに備える。


【手続補正１３】
【補正対象書類名】明細書
【補正対象項目名】００２７
【補正方法】変更
【補正の内容】
【００２７】
上記第７の発明によれば、時定数を持たせて光量制御手段の制御対象（例えば光源、絞り、調光素子）の駆動電力を可変するので、駆動電力の急激な変化による制御対象の信頼性の低下を防止することができる。


【手続補正１４】
【補正対象書類名】明細書
【補正対象項目名】００２８
【補正方法】変更
【補正の内容】
【００２８】
第８の発明は、第１の発明において、光量制御データ作成手段は、複数の単位フィールド時間における平均輝度レベルの平均に基づいて、光量制御データを作成することを特徴とする。


【手続補正１５】
【補正対象書類名】明細書
【補正対象項目名】００２９
【補正方法】変更
【補正の内容】
【００２９】
上記第８の発明によれば、光量制御手段の制御対象（例えば光源、絞り、調光素子）の駆動条件の変動を低減することができ、制御対象の信頼性の低下をさらに軽減することができる。


【手続補正１６】
【補正対象書類名】明細書
【補正対象項目名】００３０
【補正方法】変更
【補正の内容】
【００３０】
第９の発明は、第１の発明において、ＡＰＬ検出手段によって検出された平均輝度レベルの出力に対してフィルタリングを行うことにより、この平均輝度レベルの変化に対し遅延作用を与える手段を更に備える。


【手続補正１７】
【補正対象書類名】明細書
【補正対象項目名】００３１
【補正方法】変更
【補正の内容】
【００３１】
上記第９の発明によれば、光量制御手段の制御対象（例えば光源、絞り、調光素子）の駆動条件の変動を低減することができ、制御対象の信頼性の低下をさらに軽減することができる。


【手続補正１８】
【補正対象書類名】明細書
【補正対象項目名】００３２
【補正方法】変更
【補正の内容】
【００３２】
第１０の発明は、第１の発明において、光量制御データ作成手段は、ＡＰＬ検出手段によって検出された平均輝度レベルの単位時間当たりの変化が所定のしきい値よりも小さい場合に、表示素子に照射される光量をこの変化に追従させることなく直前のレベルに維持させるような光量制御データを作成することを特徴とする。


【手続補正１９】
【補正対象書類名】明細書
【補正対象項目名】００３３
【補正方法】変更
【補正の内容】
【００３３】
上記第１０の発明によれば、ＡＰＬの変化が微小な場合に光量制御手段の制御対象（例えば光源、絞り、調光素子）の駆動条件を変化させず直前の駆動条件を保持するので、制御対象の駆動条件の動的遷移の頻度を減らし、その結果、制御対象の信頼性を高めることができる。


【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】変更
【補正の内容】
【００３８】
第１１の発明は、単一または複数枚の透過型あるいは反射型の光変調作用を有する表示素子に対して光源からの光を照射することによって映像を表示する映像表示装置であって、
入力映像信号の輝度レベルを複数の輝度レベル区分に分割し、輝度レベル区分毎のヒストグラム分布を検出するヒストグラム作成手段と、
ヒストグラム作成手段において検出された分割区分毎のヒストグラム分布に基づいて、表示素子に照射される光量を制御するための光量制御データを作成する光量制御データ作成手段と、
光量制御データに基づいて表示素子に照射される光量を制御する光量制御手段とを備え、
光量制御データ作成手段は、ヒストグラム作成手段において検出された分割区分毎のヒストグラム分布が所定の分布状態にあるときに、表示素子に照射される光量を所定の分布状態に応じた所定のレベルで固定し、
分割区分毎のヒストグラム分布が所定の分布状態を外れたときに、表示素子に照射される光量が輝度レベルの増加に伴って連続的に増大するような光量制御データを作成することを特徴とする。


【手続補正２５】
【補正対象書類名】明細書
【補正対象項目名】００３９
【補正方法】変更
【補正の内容】
【００３９】
上記第１１の発明によれば、ヒストグラム分布に基づいて表示素子に照射される光量を制御することにより、ＡＰＬ検出結果のみからは一義的に判断できないような映像シーンの特徴をより正確に抽出し、映像シーンの特徴に応じて表示素子に照射される光量をより適切に制御して、表示映像の品位を向上させることができる。


【手続補正２６】
【補正対象書類名】明細書
【補正対象項目名】００４０
【補正方法】変更
【補正の内容】
【００４０】
第１２の発明は、第１１の発明において、光量制御データ作成手段は、ヒストグラム作成手段において検出された複数の輝度レベル区分の内の少なくとも１つの輝度レベルのヒストグラム分布が所定のしきい値よりも大きいまたは小さいときに、表示素子に照射される光量を所定のレベルで固定するような光量制御データを作成することを特徴とする。


【手続補正２７】
【補正対象書類名】明細書
【補正対象項目名】００４１
【補正方法】変更
【補正の内容】
【００４１】
上記第１２の発明によれば、映像信号のある輝度レベルにおけるヒストグラム分布を所定のしきい値と大小比較することによって、映像シーンの特徴を容易に抽出することができる。


【手続補正２８】
【補正対象書類名】明細書
【補正対象項目名】００４２
【補正方法】変更
【補正の内容】
【００４２】
第１３の発明は、第１１の発明において、光量制御データ作成手段は、ヒストグラム作成手段において検出されたヒストグラム分布に基づいて入力映像信号に係る映像シーンが暗いシーンであると判断される場合に、表示素子に照射される光量を所定の最小レベルで固定するような光量制御データを作成することを特徴とする。


【手続補正２９】
【補正対象書類名】明細書
【補正対象項目名】００４３
【補正方法】変更
【補正の内容】
【００４３】
上記第１３の発明によれば、暗いシーンにおいて一部だけ特に明るい部分が存在するような場合であって、ＡＰＬ検出結果からは暗いシーンであると判断することができない場合であっても、暗いシーンであると判断して、黒浮きを防止するように表示素子に照射される光量を制御することができる。


【手続補正３０】
【補正対象書類名】明細書
【補正対象項目名】００４４
【補正方法】変更
【補正の内容】
【００４４】
第１４の発明は、単一または複数枚の透過型あるいは反射型の光変調作用を有する表示素子に対して光源からの光を照射することによって映像を表示する映像表示方法であって、
入力映像信号の平均輝度レベルを検出するＡＰＬ検出ステップと、
ＡＰＬ検出ステップによって検出された平均輝度レベルに基づいて、表示素子に照射される光量を制御するための光量制御データを作成する光量制御データ作成ステップと、
光量制御データに基づいて表示素子に照射される光量を制御する光量制御ステップとを備え、
光量制御データ作成ステップは、ＡＰＬ検出ステップによって検出された平均輝度レベルが第１の所定値以下の範囲にある場合には、表示素子に照射される光量が所定の最小レベルまたはその近傍レベルとなるように制御され、
ＡＰＬ検出ステップによって検出された平均輝度レベルが第１の所定値を超える範囲にある場合には、表示素子に照射される光量が平均輝度レベルの増加に伴って連続的に増大するように制御されるような光量制御データを作成することを特徴とする。


【手続補正３１】
【補正対象書類名】明細書
【補正対象項目名】００４５
【補正方法】変更
【補正の内容】
【００４５】
上記第１４の発明によれば、映像のシーンに応じて動的に輝度を調整することが可能となり、明るいシーンでの明るさ感の不足および暗いシーンでの黒浮きの問題を改善することができ、コントラスト感を高めることができる。また、暗いシーン、つまり入力映像信号のＡＰＬが所定のしきい値より小さい範囲にある場合に、この範囲全体にわたって、表示素子に照射される光量が所定の最小レベルまたはその近傍レベルとなるように制御されるため、暗いシーンにおける黒浮きの問題をより一層改善することができ、その結果、コントラスト感をより一層高めることができる。


【手続補正３２】
【補正対象書類名】明細書
【補正対象項目名】００４６
【補正方法】変更
【補正の内容】
【００４６】
第１５の発明は、第１４の発明において、光量制御データ作成ステップは、ＡＰＬ検出ステップによって検出された平均輝度レベルに基づいて、光源を制御するための光源制御データを作成する光源制御データ作成ステップを含み、
光量制御ステップは、光源制御データに基づいて光源を駆動する光源駆動ステップを含み、
光源制御データ作成ステップは、ＡＰＬ検出ステップによって検出された平均輝度レベルが第１の所定値以下の範囲にある場合には、光源を安定駆動可能な最小レベルまたはその近傍レベルとなるように駆動させ、
ＡＰＬ検出ステップによって検出された平均輝度レベルが第１の所定値を超える範囲にある場合には、光源を表示素子に照射される光量が平均輝度レベルの増加に伴って連続的に増大するように駆動させるような光源制御データを作成することを特徴とする。


【手続補正３３】
【補正対象書類名】明細書
【補正対象項目名】００４７
【補正方法】変更
【補正の内容】
【００４７】
第１６の発明は、第１４の発明において、光量制御データ作成ステップは、ＡＰＬ検出ステップによって検出された平均輝度レベルに基づいて、光源と表示素子の間に存在し、この表示素子に照射される光量を調節する絞りを制御するための絞り制御データを作成する絞り制御データ作成ステップを含み、
光量制御ステップは、絞り制御データに基づいて絞りを駆動する絞り駆動ステップを含み、
絞り制御データ作成ステップは、ＡＰＬ検出ステップによって検出された平均輝度レベルが第１の所定値以下の範囲にある場合には、表示素子に照射される光量が所定の最小レベルまたはその近傍レベルとなるように絞りを駆動させ、
ＡＰＬ検出ステップによって検出された平均輝度レベルが第１の所定値を超える範囲にある場合には、表示素子に照射される光量が平均輝度レベルの増加に伴って連続的に増大するように絞りを駆動させるような絞り制御データを作成することを特徴とする。


【手続補正３４】
【補正対象書類名】明細書
【補正対象項目名】００４８
【補正方法】変更
【補正の内容】
【００４８】
第１７の発明は、第１４の発明において、光量制御データ作成ステップは、ＡＰＬ検出ステップによって検出された平均輝度レベルに基づいて、光源と表示素子の間に存在し、この表示素子に照射される光量を調節する調光素子を制御するための調光素子制御データを作成する調光素子制御データ作成ステップを含み、
光量制御ステップは、調光素子制御データに基づいて調光素子を駆動する調光素子駆動ステップを含み、
調光素子制御データ作成ステップは、ＡＰＬ検出ステップによって検出された平均輝度レベルが第１の所定値以下の範囲にある場合には、表示素子に照射される光量が所定の最小レベルまたはその近傍レベルとなるように調光素子を駆動させ、
ＡＰＬ検出ステップによって検出された平均輝度レベルが第１の所定値を超える範囲にある場合には、表示素子に照射される光量が平均輝度レベルの増加に伴って連続的に増大するように調光素子を駆動させるような調光素子制御データを作成することを特徴とする。


【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】変更
【補正の内容】
【００５０】
第１８の発明は、第１４の発明において、光量制御データ作成ステップは、ＡＰＬ検出ステップによって検出された平均輝度レベルが第１の所定値よりも小さい場合に、表示素子に照射される光量を所定の最小レベルで固定するような光量制御データを作成することを特徴とする。


【手続補正３７】
【補正対象書類名】明細書
【補正対象項目名】００５１
【補正方法】変更
【補正の内容】
【００５１】
第１９の発明は、第１４の発明において、光量制御データ作成ステップは、ＡＰＬ検出ステップによって検出された平均輝度レベルが第２の所定値よりも大きい場合に、表示素子に照射される光量を所定の最大レベルで固定するような光量制御データを作成することを特徴とする。


【手続補正３８】
【補正対象書類名】明細書
【補正対象項目名】００５２
【補正方法】変更
【補正の内容】
【００５２】
第２０の発明は、第１４の発明において、光量制御データ作成ステップによって作成された光量制御データに対してフィルタリングを行うことにより、この光量制御データの変化に対し遅延作用を与えるステップをさらに備える。


【手続補正３９】
【補正対象書類名】明細書
【補正対象項目名】００５３
【補正方法】変更
【補正の内容】
【００５３】
第２１の発明は、第１４の発明において、光量制御データ作成ステップは、複数の単位フィールド時間における平均輝度レベルの平均に基づいて、光量制御データを作成することを特徴とする。


【手続補正４０】
【補正対象書類名】明細書
【補正対象項目名】００５４
【補正方法】変更
【補正の内容】
【００５４】
第２２の発明は、第１４の発明において、ＡＰＬ検出ステップによって検出された平均輝度レベルの出力に対してフィルタリングを行うことにより、この平均輝度レベルの変化に対し遅延作用を与えるステップを更に備える。


【手続補正４１】
【補正対象書類名】明細書
【補正対象項目名】００５５
【補正方法】変更
【補正の内容】
【００５５】
第２３の発明は、第１４の発明において、光量制御データ作成ステップは、ＡＰＬ検出ステップによって検出された平均輝度レベルの単位時間当たりの変化が所定のしきい値よりも小さい場合に、表示素子に照射される光量をこの変化に追従させることなく直前のレベルに維持させるような光量制御データを作成することを特徴とする。


【手続補正４２】
【補正対象書類名】明細書
【補正対象項目名】００５６
【補正方法】削除
【補正の内容】
【手続補正４３】
【補正対象書類名】明細書
【補正対象項目名】００５７
【補正方法】削除
【補正の内容】
【手続補正４４】
【補正対象書類名】明細書
【補正対象項目名】００５８
【補正方法】変更
【補正の内容】
【００５８】
第２４の発明は、単一または複数枚の透過型あるいは反射型の光変調作用を有する表示素子に対して光源からの光を照射することによって映像を表示する映像表示方法であって、
入力映像信号の平均輝度レベルを複数の平均輝度レベル区分に分割し、平均輝度レベル区分毎のヒストグラム分布を検出するヒストグラム作成ステップと、
ヒストグラム作成ステップによって検出された分割区分毎のヒストグラム分布に基づいて、表示素子に照射される光量を制御するための光量制御データを作成する光量制御データ作成ステップと、
光量制御データに基づいて表示素子に照射される光量を制御する光量制御ステップとを備え、
光量制御データ作成ステップは、ヒストグラム作成ステップにおいて検出された分割区分毎のヒストグラム分布が所定の分布状態にあるときに、表示素子に照射される光量を所定の分布状態に応じた所定のレベルで固定し、
分割区分毎のヒストグラム分布が所定の分布状態を外れたときに、表示素子に照射される光量が輝度レベルの増加に伴って連続的に増大するような光量制御データを作成することを特徴とする。


【手続補正４５】
【補正対象書類名】明細書
【補正対象項目名】００５９
【補正方法】変更
【補正の内容】
【００５９】
第２５の発明は、第２４の発明において、光量制御データ作成ステップは、ヒストグラム作成ステップにおいて検出された複数の輝度レベル区分の内の少なくとも１つの輝度レベルのヒストグラム分布が所定のしきい値よりも大きいまたは小さいときに、表示素子に照射される光量を所定のレベルで固定するような光量制御データを作成することを特徴とする。


【手続補正４６】
【補正対象書類名】明細書
【補正対象項目名】００６０
【補正方法】変更
【補正の内容】
【００６０】
第２６の発明は、第２４の発明において、光量制御データ作成ステップは、ヒストグラム作成ステップにおいて検出されたヒストグラム分布に基づいて入力映像信号に係る映像シーンが暗いシーンであると判断される場合に、表示素子に照射され